(57)【要約】【課題】装飾のバリエーションを多様化できることで意匠性に富み、且つ記念品としての存在感に溢れる記念品を提供する。【解決手段】腕輪本体２と、腕輪本体２に付加されたメッセージ部３とを有する記念品１で、腕輪本体２は、内径Ｋが特定の新生児の手首の太さと略等しくなるように形成され、メッセージ部３には、新生児に関する情報が開示されている。腕輪本体２は、金属製で、留め金の無い無端リング状としても良い。また、新生児の誕生日に由来する宝石４によって装飾した装飾部５をさらに有しても良い。【選択図】図１
0003139667.tif 000002
【実用新案登録請求の範囲】
【請求項１】
腕輪本体と、該腕輪本体に付加されたメッセージ部とを有する記念品で、
前記腕輪本体は、環状の径が特定の新生児の手首の太さと略等しくなるように形成され、
前記メッセージ部には、前記特定の新生児に関する情報が開示されている
ことを特徴とする記念品。
【請求項２】
前記腕輪本体は、金属製であり、留め金の無い無端リング状であることを特徴とする請求項１に記載の記念品。
【請求項３】
前記特定の新生児の誕生日に由来する宝石によって装飾した装飾部、をさらに有している特徴とする請求項１または請求項２に記載の記念品。
【考案の詳細な説明】
【技術分野】
【０００１】
本考案は、記念品に関するものであり、特に、出産記念品として好適な記念品に関するものである。
【背景技術】
【０００２】
従来、赤ちゃんの出産記念品として、足型や手形を用いるものが知られている。例えば、フォトフレームに赤ちゃんの実物大の足型や手形を彫刻し、室内装飾品として展示するものなどが広く知られている。また、赤ちゃんの産毛から毛筆を作成したり、赤ちゃんの健やかな成長を祈願した銀製のスプーンを記念品として展示・保管するものなども知られている。
【０００３】
また、赤ちゃんの指のサイズに合わせた指輪を制作し、メッセージを刻んだり誕生石を埋め込んだりしたものも知られている。このような記念品は「ベビーリング」等と呼ばれ、室内に展示するなどして使用されていた。
【考案の開示】
【考案が解決しようとする課題】
【０００４】
しかし、「ベビーリング」には、幾つかの問題があった。例えば、赤ちゃんの指の大きさに合わせているため、サイズが非常に小さかった。そのため、展示しても見映えがせず、記念品としての存在感が薄いという問題があった。また、サイズが非常に小さいことにより、施せる装飾のバリエーションが少なく、意匠が単調になる傾向があった。
【０００５】
そこで、本考案は上述の問題に鑑み、装飾のバリエーションを多様化できることで意匠性に富み、且つ存在感に溢れる記念品を提供することを課題とする。
【課題を解決するための手段】
【０００６】
本考案にかかる記念品は、「腕輪本体と、該腕輪本体に付加されたメッセージ部とを有する記念品で、
前記腕輪本体は、環状の径が特定の新生児の手首の太さと略等しくなるように形成され、
前記メッセージ部には、前記特定の新生児に関する情報が開示されている」ものである。
【０００７】
ここで、「腕輪本体」とは、その径が新生児の手首の太さと略等しいことに由来する名称であり、本考案の記念品を実際に腕輪として着用する形態に限定するものではない。
【０００８】
また、「環状」とは、バンド状の腕輪の両端部分を留め合せて環にしても良いし、終端部の無い無端リング状の形状でも良い。「バンド状」とは、一本の帯状の形でも良いし、ビーズや真珠のような珠を数珠繋ぎに繋ぎとめて一本にした形状でも良いし、両端部に留め金がついたＣ形でも良い。要するに、径が特定の新生児の手首の太さと略等しくなるように変形する（もしくは最初からその形状である）ものであれば良い。また、「環状の径」とは、内径であっても良いし、外形の直径であっても良い。
【０００９】
さらに、「特定の新生児に関する情報」とは、例えば誕生日、誕生時間、誕生日の天気、出産の状況、新生児の両親の名前、親族の名前、新生児に当該記念品を贈与した関係者の名前、新生児の体重や身長、出産時の病院名、両親の結婚した式場の名前、両親から新生児に贈るメッセージ、誕生当時の住所等の個人情報、等が例示できる。なお、「新生児」とは、出生後２８日未満の乳児を示している。
【００１０】
本考案の記念品によれば、特定の新生児の手首の太さと略等しく形成された腕輪本体を具備している。赤ちゃんの体重の増加は一般的に目覚しく、生後５ヶ月で出生時の倍程度になることが多い。よって、体のサイズも急激に変化し、生後半年も経過すると出生時の体の大きさを想起することが困難となる。ここで、本考案の記念品によれば、腕輪本体の環状の径が新生児の手首の太さと略等しくなるように形成されているから、腕輪本体の径を通じて新生児の体のサイズを後世に形として残すことができる。従って、新生児の周囲の人間だけではなく、成長した赤ちゃん本人も自分の体のサイズを具体的に知ることができるので、想い出を具現化する印象的な記念品としての価値を発揮する。
【００１１】
また、本考案の記念品によれば、さらに、その新生児に関する情報が開示されたメッセージ部を有している。従って、手首のサイズだけではなく、新生児に関する様々な情報を残すことができるので、記念品としての価値が一層高くなっている。特に、本考案の記念品は、指輪よりもサイズが大きいので、情報を付加するスペースを大きく採れる。これにより、文字サイズを大きくしてメッセージ内容を読取りやすくしたり、または文字数を増やして情報量を増やすことが容易なので、ベビーリングよりもメッセージ性の高い記念品を提供できる。
【００１２】
特に、本考案の記念品によれば、指輪よりもサイズが大きいので、展示しても見栄えがしやすく、注目度を高めやすい。また、比較的サイズが大きいことから施せる意匠のバリエーションも増やせるので、意匠性も向上させることができる。
【００１３】
一方、本考案の記念品は、腕輪本体の内径を新生児の手首に合わせた場合は、新生児本人が腕輪として着用しアクセサリーとして使用することができる。また、その場合、新生児が成長して腕輪として嵌められなくなった場合でも、チェーンなどを通してペンダントヘッドとして使用することができる。ここで、本考案の記念品は、ベビーリングよりもサイズが大きい腕輪本体を有しているから、アクセサリーとしても非常に見映えがするし、施せる意匠のバリエーションも豊富である。また、腕輪本体の径は新生児の手首の太さに合わせているので、ペンダントヘッドやイヤリング、ブローチ等に好適なサイズであり、各種のアクセサリーに流用しやすい記念品を提供できる。
【００１４】
また、本考案の記念品において、「前記腕輪本体は、金属製であり、留め金の無い無端リング状である」ものとすることができる。
【００１５】
本考案の記念品によれば、腕輪本体は留め金の無い無端リング状なので、着用した際に引っ掛かりが無く、腕輪として新生児が安全に着用することができる。また、ペンダントヘッドとして使用する際は、丸カン等の金具を付加しなくても腕輪本体の環の中にチェーンを通すだけで良いので、構造をシンプルにできる。さらに、金属製なので、刻印等の技術を用いて安価且つ容易に消え難いメッセージ部を作成することができる。また、金属製なので、鏡面加工や梨地加工など加工の選択肢が豊富であり、高級感のある記念品とすることができる。さらに、木製や樹脂製の記念品に比べて、耐久性が高く経年劣化（サイズの変形等）し難いので、新生児の手首の大きさを正確に後世に残すことができる。
【００１６】
また、本考案の記念品において、「前記特定の新生児の誕生日に由来する宝石によって装飾した装飾部、をさらに有している」ものとすることができる。
【００１７】
ここで、「誕生日に由来する宝石」とは、一般に「誕生石」と呼ばれるものなどが例示できる。誕生石とは、１月から１２月までの各月に因む宝石であり、自分の生まれた月の宝石を身につけると幸運の加護があるという風説がある。また、別の例としては、「誕生日石」という３６５日に対応した宝石なども知られており、身に付けることで運気を追い払うことができるという風説がある。本考案の記念品は、誕生日に由来する宝石をさらに有しているので、生命の誕生という大イベントをより効果的に盛り上げることができ、記念品としての価値をさらに高めている。また、宝石が付加される事で意匠性もさらに向上し、意匠のバリエーションも一層多様化する。
【考案の効果】
【００１８】
このように、本考案の記念品によれば、腕輪本体の太さを通じて新生児の体の一部のサイズを後世に形として残すことができる。また、指輪よりもサイズが大きいので、展示しても見栄えがしやすく、注目度を高めやすい。また、比較的サイズが大きいことから、施せる意匠のバリエーションも容易に増やすことができる。さらに、指輪に比べてメッセージ部を大きく採れるので、メッセージ性の高い記念品を提供できる。
【考案を実施するための最良の形態】
【００１９】
以下、本考案の実施形態である記念品について、図１乃至図４に基づき説明する。図１は本考案の記念品を示す斜視図であり、図２は新生児の手首の太さを測定する様子を説明した説明図であり、図３は記念品の注文の流れを示すフローチャートであり、図４は注文カードを示す説明図である。なお、図２では、新生児の手首部分のみを拡大して示している。
【００２０】
本考案の記念品１は、主に図１に示すように、腕輪本体２と、腕輪本体２に刻印されたメッセージ部３と、宝石４によって腕輪本体２を装飾した装飾部５と、を有している。腕輪本体２は、本例ではホワイトゴールドを主材料とし、留め金の無い無端リング状に形成されている。さらに詳細には、幅広の平打ちリングであり、表面には鏡面加工が施してある。留め金の無い無端リング状（「バングル形状」等とも呼ばれる）であることにより、丸カン等の金具を付加しなくても環の中にチェーンを通すだけで簡単にペンダントヘッド等に流用できる。また、留め金が必要ないので構造をシンプルにできる。
【００２１】
腕輪本体２の内径Ｋは、注文者が指定した特定の新生児Ｂ（図２参照：詳細は後述する。以下同じ）の手首の太さと略等しくなるよう形成している。従って、指輪よりもサイズが大きいので、表面加工や彫り模様加工、ミル打ち加工や石留め加工なども比較的容易に行える。かつ、加工面積が大きく取れることにより、加工結果が見映えする。ここで、「内径Ｋ」が、本考案の「環状の径」に相当する。
【００２２】
メッセージ部３は、腕輪本体２の内周面に刻印されて形成されており、特定の新生児Ｂの出生に係る情報が記載されている。当該情報の一例として、本例では、出生の日付（２００７．９．１５）、時間（ＡＭ２：３０）、及び新生児Ｂの手首の実寸（手首の円周の長さ）が刻印されている。なお、メッセージ部３は、本例のように腕輪本体２の内周面に刻印しても良いし、外周面や側面に刻印しても良い。注文者のセンスに応じて適宜選択することが可能である。但し、本例のように内周面に刻印すると、使用する際に刻印が傷つき難くて薄れ難いので、メッセージ内容が長期に渡り読みやすい状態で維持されるという利点がある。また、本例の腕輪本体２は、新生児Ｂの指ではなく手首の内径Ｋに応じて作製されているので、比較的文字のサイズや数に自由度が高い。従って、出生の日時だけではなく、両親の名前やメッセージ、宝飾店の広告文などを挿入することも容易である。
【００２３】
装飾部５は、腕輪本体２をより華やかに装飾する機能を有する。具体的には、腕輪本体２に、その一部が露出するような状態で宝石４を埋め込んで構成している。宝石４は、露出した表面高さが腕輪本体２の外形と略等しくなるよう一体的に形成されているので、記念品１の表面は引っ掛かりがなく滑らかである。従って、新生児本人が着用した場合でもその柔らかい皮膚に傷をつける懸念が少なく、より安全性を考慮した構造になっている。なお。宝石４は、新生児Ｂの誕生日に由来のある宝石が選定されており、その一例として本例では天然石のサファイアを用いている。
【００２４】
また、本例の記念品１は、図４に示す注文カード６を用いて注文するシステムを採用している。注文カード６は、特定の注文者が記念品１を店に注文するためのカードであり、注文者や新生児Ｂに関連する様々な情報が記載される。情報の内容としては、例えば、新生児Ｂの名前や両親の名前、注文者の住所、電話番号、新生児Ｂの出生日時、新生児Ｂの出生時の体重・身長、新生児Ｂの手首の実寸（内径Ｋや手首の円周の長さ）、新生児Ｂへ宛てた両親のメッセージ、注文カード６を入手した場所、両親の結婚日、等が挙げられる。本例では紙データである注文カード６を例示したが、Ｗｅｂ等を通じて電子的に構成された注文カードでも当然構わない。
【００２５】
続いて、図２乃至図４に基づいて、記念品１を顧客に提供するまでの流れを説明する。図３に示すように、まず、ステップＳ１において、注文カード６（図４参照）を顧客に配布する。注文カード６は、結婚式場にフリーペーパーとして配布したり、所定の顧客にダイレクトメールを送付する等の方法を用いて配布する。本例の注文カード６は、エンゲージリングやマリッジリング（以下、単に「マリッジリング等」と称す）の作製を行う宝飾店の広告用フリーペーパーに添付されているものであり、当該フリーペーパーには、本宝飾店でマリッジリング等を注文すると無料で記念品１を進呈する旨が記載されている。また、当該フリーペーパーには、その他宝飾店の住所や電話番号、メールアドレス等の連絡先が併記されている。ステップＳ１が終了すると、ステップＳ２に移行する。
【００２６】
ステップＳ２では、注文カード６を有する注文者からマリッジリング等の契約に関して打診があった場合に、当該宝飾店において、マリッジリング等の説明及び記念品１の発注方法について説明が行われる。記念品１の説明としては、例えば、腕輪本体２の材質や採寸方法、注文カード６に記載した情報のうちどれをメッセージ部３として刻印するか、等の打ち合わせが行われる。打ち合わせの結果は、宝飾店側の顧客データベース（図略）に記録され保存される。なお、ステップＳ２において決定されるのは、注文カード６に記載した情報のうちどれをメッセージ部３に刻印するかという項目のみであり、この時点では情報の内容は決定されていない。打ち合わせが終了すると、ステップＳ３に移行する。
【００２７】
注文したカップル若しくは夫婦が結婚し、その後赤ちゃんが誕生すると、ステップＳ３において、赤ちゃんの手首のサイズが採寸される。採寸は、ステップＳ２での説明に基づき、宝飾店の店員ではなく、赤ちゃんに最も近しい人間である母親か、若しくは近親者によって行われることが望ましい。具体的には図２に示すように、赤ちゃん（新生児Ｂ）の手首に紐７を巻きつけ、その太さが分かるように細工する。例えば紐７を手首の太さに合わせて切っても良いし、ペンで目印を書き込んでも良い。そうして採寸された紐７は、注文者により宝飾店に送付される。その際、所定の事項が書き込まれた注文カード６も紐７と同時期に送付される。そして、ステップＳ４に移行する。
【００２８】
ステップＳ４では、宝飾店の店員が注文カード６を受領し、その内容を確認する。確認する内容としては、注文カード６に記載された情報から注文者を特定し、前述の顧客データベースを照会してステップＳ２の打ち合わせの内容を参照する。そして、注文カード６と顧客データベースとの内容から、メッセージ部３の項目を抽出し、詳細な文字構成を決定する。その後、宝石４の種類等を決定し、それらの内容を注文者に連絡して確認する。注文者の合意が得られれば、ステップＳ５に移行する。
【００２９】
ステップＳ５では、注文者から送付された紐７を宝飾店の店員が受領し、腕輪本体２の内径Ｋを決定する。なお、ステップＳ３において注文カード６と紐７とを同時に送付した場合は、ステップＳ４とステップＳ５とを同時に進行させても良い。逆に、紐７の到着が注文カード６よりも早ければ、ステップＳ３の後にステップＳ５に移行し、その後ステップＳ４に移行しても構わない。本例では、ステップＳ３の後にステップＳ４に移行し、その後ステップＳ５に移行する例を例示している。ステップＳ４及びステップＳ５が終了すると、ステップＳ６に移行する。
【００３０】
ステップＳ６では、記念品１の作製が行われる。腕輪本体２は、ステップＳ５で受領した紐７に基づいた内径Ｋで作製される。また、内周面には、ステップＳ４で合意を得た文字構成に基づいてメッセージ部３が刻印される。装飾部５には、ステップＳ４で受領した注文カード６に基づき、新生児Ｂの誕生月に応じた宝石４（本例ではサファイア）が埋め込まれる。こうして記念品１が完成すると、ステップＳ７に移行する。
【００３１】
ステップＳ７では、ステップＳ６で完成した記念品１が宝飾店の店員によりラッピングされ、注文者に発送される。発送された記念品１は、注文者のかけがえのない記念品となると同時に、長く使える記念品１としても機能する。このような流れで、顧客である注文者に記念品１が提供される。
【００３２】
以上のように、本考案の記念品１によれば、腕輪本体２の太さを通じて新生児Ｂの体の一部のサイズを後世に形として残すことができる。また、内径Ｋが指輪の径よりも大きいので、展示しても見栄えがしやすく、注目度を高めやすい。また、比較的サイズが大きいことから施せる意匠のバリエーションも増やせるので、記念品１としての意匠性も向上させることができる。さらに、指輪に比べてメッセージ部３を大きく採れるので、メッセージ性の高い記念品１を提供できる。
【００３３】
また、本考案の記念品１によれば、腕輪本体２は留め金の無い無端リング状なので、丸カン等の金具を付加しなくても環の中にチェーンを通すだけで簡単にペンダントヘッド等に流用できる。また、留め金が必要ないので構造をシンプルにできる。さらに、装飾部５は新生児Ｂの誕生日に由来する宝石４を有しているから、生命の誕生と新生児Ｂの幸運を願う気持ちとを記念品１に込める事ができ、記念品としてのメッセージ性をより強めることができる。また、宝石４により意匠性がさらに向上している。
【００３４】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００３５】
上記実施形態においては、新生児Ｂの手首の太さと略等しい内径Ｋを有する腕輪本体２を例示したが、例えば、新生児Ｂの足首の太さと略等しい内径としても良い。すなわち、アンクレットとして使用することのできる記念品１としても良い。この他、新生児Ｂの胴体、首、頭のサイズ等と略等しい内径としても構わないが、そうすると、ペンダントヘッドやブローチとしては比較的大柄なサイズになるので、手首や足首のサイズに合わせこむ方がアクセサリーとしての使い勝手が良い。
【００３６】
また、上記実施形態では、いわゆるバングル状の腕輪本体２を例示したが、開放端を有するＣ形の腕輪本体２でも良いし、バンド状の両端部分を留め合せて環にする腕輪本体２でも良い。例えば、真珠やビーズのような珠を数珠繋ぎに繋ぎ合わせて環状にする腕輪本体２でも構わない。但し、こうした場合は、プレートを介在させてメッセージ部３を形成すると良い。
【００３７】
また、上記実施形態では、フリーペーパーに添付された注文カード６を例示したが、この構成には限定されない。例えば、ウェブ上で公開された電子データとしての注文カード６でも良い。この場合は、注文者ごとにユニークな識別番号を用意し、その識別番号によって宝飾店側の顧客データベースと注文カード６の内容とを連携させる方式等も採用できる。また、注文カード６に「赤ちゃんの手首のサイズ」を記入する欄を設け、紐７を送付せずとも宝飾店側が内径Ｋを決定できるよう構成しても良い。しかし、本例のように構成すると、注文者と宝飾店側とが直接対峙して話し合う機会を多く設けることができるので、より密接な打ち合わせを行うことができる。これにより、デザインについて十分に折衝することができるし、サイズ間違い等も少なくなるので、より顧客満足度の高い記念品１を提供できる。
【図面の簡単な説明】
【００３８】
【図１】本考案の記念品を示す斜視図である。
【図２】新生児の手首の太さを測定する様子を説明した説明図である。
【図３】記念品の注文の流れを示すフローチャートである。
【図４】注文カードを示す説明図である。
【符号の説明】
【００３９】
１  記念品
２  腕輪本体
３  メッセージ部
４  宝石
５  装飾部
６  注文カード
７  紐
Ｋ  内径（環状の径）
Ｂ  新生児
【図１】
0003139667.tif 000003
【図２】
0003139667.tif 000004
【図３】
0003139667.tif 000005
【図４】
0003139667.tif 000006
【手続補正書】
【提出日】平成19年12月6日(2007.12.6)
【手続補正１】
【補正対象書類名】実用新案登録請求の範囲
【補正対象項目名】請求項１
【補正方法】変更
【補正の内容】
【請求項１】
腕輪本体と、該腕輪本体に刻印されたメッセージ部とを有する記念品で、
前記腕輪本体は、環状の径が特定の新生児の手首の太さと略等しくなるように形成され、
前記メッセージ部には、前記特定の新生児に関する情報が開示されている
ことを特徴とする記念品。
【手続補正２】
【補正対象書類名】明細書
【補正対象項目名】０００６
【補正方法】変更
【補正の内容】
【０００６】
本考案にかかる記念品は、「腕輪本体と、該腕輪本体に刻印されたメッセージ部とを有する記念品で、
前記腕輪本体は、環状の径が特定の新生児の手首の太さと略等しくなるように形成され、
前記メッセージ部には、前記特定の新生児に関する情報が開示されている」ものである。